(57)【要約】本発明の航空機（５０）は、二重反転回転翼を有するエンジンを少なくとも１つ備え、少なくとも１つのエンジンが少なくとも１つの楕円（７０）に関係する不均衡を有する。上記航空機は、所定のエンジン速度で、楕円の、又は複数の楕円のうちの少なくとも１つの長軸（６８）の少なくとも１つの所定の共通方向において、上記ダンパの２つの端部に対する速度が該ダンパの他の配置における当該速度よりも大きいような配置で取り付けられた少なくとも１つの振動ダンパ（６４，６６）を含んでいる。【選択図】図７
2011529005.tif 000002
【特許請求の範囲】
【請求項１】
航空機（５０）の製造方法であって、
上記航空機は、二重反転回転翼（５８ａ，５８ｂ）を有する少なくとも１つのエンジン（５６）（但し、上記エンジン又は複数のエンジンではそのうちの少なくとも１つのエンジンは、少なくとも１つの楕円（７０）に関する不均衡を有する）を備え、
上記楕円の、又は複数の該楕円のうちの少なくとも１つの長軸（６８）の所定方向において、所定のエンジン速度で、上記ダンパの２つの端部の相対速度が、当該ダンパの他のいずれの配置における当該相対速度よりも大きくなるような配置で、少なくとも１つの振動ダンパ（６４，６６）を上記航空機に取り付けるステップを備えることを特徴とする航空機（５０）の製造方法。
【請求項２】
航空機（５０）であって、
二重反転回転翼（５８ａ，５８ｂ）を備える少なくとも１つのエンジン（５６）（但し、上記エンジン又は複数のエンジンではそのうちの少なくとも１つのエンジンは、少なくとも１つの楕円（７０）に関する不均衡を有する）、及び、
上記楕円の、又は複数の該楕円のうちの少なくとも１つの長軸（６８）の所定方向において、所定のエンジン速度で、２つの端部の相対速度が、他のいずれの配置における当該相対速度よりも大きくなるような少なくとも１つの振動ダンパ（６４，６６）を備えることを特徴とする航空機（５０）。
【請求項３】
請求項２記載の航空機であって、
上記ダンパ（６４，６６）の配置は、上記長軸（６８）の方向にかかわりなく、上記相対速度が該ダンパの他のいずれの配置における該相対速度よりも高いような配置であることを特徴とする航空機。
【請求項４】
請求項２又は３記載の航空機であって、
上記ダンパ（６４，６６）の配置は、所定の速度において、２つの端部の相対速度が他のいずれの長軸方向における該相対速度よりも大きい長軸（６８）の１つの方向が存在するような配置であることを特徴とする航空機。
【請求項５】
請求項２乃至４のいずれか１項記載の航空機であって、
好ましくは上記エンジン（５６）に取り付けられかつ、該エンジンの振動を測定可能な、少なくとも１つのセンサ（７２）を備え、
例えば上記航空機は、互いに直交する方向の上記エンジンの振動を測定可能な少なくとも２つのセンサを備えることを特徴とする航空機。
【請求項６】
請求項２乃至５のいずれか１項記載の航空機であって、
上記長軸（６８）を一定の方向、好ましくは他の長軸方向において相対速度がより大きい方向に保持するために、上記エンジン又は複数のエンジン（５６）のうちの少なくとも１つを制御することが可能な手段（９０，７６）を備えることを特徴とする航空機。
【請求項７】
請求項２乃至６のいずれか１項記載の航空機を制御する制御方法であって、
上記エンジン（５６）又は複数のエンジンではそのうちの少なくとも１つのエンジンが一定の方向に長軸（６８）を保持するように制御することを特徴とする制御方法。
【請求項８】
コンピュータで実行したときに、請求項１又は７記載の方法の実行を制御可能な命令で構成されているコンピュータプログラム。
【請求項９】
請求項８記載のコンピュータプログラムを記憶していることを特徴とする情報記憶媒体。
【発明の詳細な説明】
【技術分野】
【０００１】
本発明は、二重反転回転翼を有するエンジンを少なくとも１つ備えた航空機に関する。
【背景技術】
【０００２】
このようなエンジンとして、プロップファンタイプのターボプロップのような二重反転プロペラを備えたエンジン又はヘリコプターのような回転翼航空機のエンジンがある。
【０００３】
航空輸送産業において、エンジンによって生じる振動及び騒音を軽減すべく、多年にわたって調査研究が行われてきた。そして、様々な技術が用いられてきた。
【０００４】
パッシブ又はアクティブなバランシング技術も知られている。特許文献１の場合のように、この技術において、慣性的な又は空気力学的な不均衡が測定されたり補正されたりする。
【０００５】
他の「位相同期」技術も知られており、特許文献２、 特許文献３、特許文献４及び特許文献５の場合のように、複数のエンジン間の位相同期は、翼通過周波数において発生する騒音を制限する。エンジン制御システムによる、これらのバランシング技術や位相同期技術における主要な問題は、制御システムの遅れを、用いられるセンサ前の２つのブレードの通過を分離する期間よりも、かなり小さくしなければならないことである。しかしながら、このことは、産業上の利用を考えられていないことを意味している。
【０００６】
また、航空機内で発生する上記振動をフィルタリングし、及び、減衰させる技術も知られている。このような技術として、例えばアクティブウェイト、可変剛性又はレオロジー流体を用いたセミアクティブシステムがある（特許文献６参照）。これら技術は、センサ及び、アクティブ動作又はセミアクティブ動作を命令する制御アーキテクチャも含んでいる。これらの技術は、支持構造体上のアンバランス力の衝撃を制限するために発達してきた。
【０００７】
図１に示すように、まず１枚の円盤に対する不均衡問題について説明する。この図は、回転翼４、このケースでは８枚の回転翼、を備えるプロペラ２を形成する円盤を示している。上記プロペラは、該プロペラの主幾何対称軸に一致する軸６周りに自由に回転できる。上記プロペラは、該プロペラの重心が軸６上ではなく軸６から径方向にシフトしたようなバランス障害を有していると仮定する。この重心８は、図１に誇張して示すように、例えば回転翼４のうちの１枚に位置している。上記プロペラは、矢印１０で示す方向に該プロペラの軸６周りを回転する。従って、重心８は、円盤の面内の軸６上のプロペラに対して径方向外側に向かって働き、点８を通過するアンバランス力１２を発生させる。この力が方向１０に沿って回転する。これが慣性不均衡である。その結果として、重心が回転中心に一致していない回転円盤において、慣性不均衡が、図１に示すような該円盤の面内で半径方向力を発生させる。
【０００８】
図２を参照に、空気力学的不均衡もあるかもしれない。それは、移動する回転盤がプロペラの回転翼表面のような軸受表面を備える場合である。上記軸受表面上の据え付け不良や形状不良によって空気力学的不均衡が発生する。回転翼の空気力学的変形のばらつき又は回転翼のピッチ角のばらつきという問題もある。上記空気力学的アンバランス力は、軸６から離れた位置にある点１４において働く。このアンバランス力は、まず第１に、図２において符号１６で示すプロペラの円盤の面外側に位置する牽引力の増分と、プロペラの円盤の面内に位置する抗力の増分１８とで構成される。
【０００９】
これから、いくつかのバランシング技術についてより詳しく説明する。回転機（又は円盤）のアンバランス力の測定方法が分かっており、固定軸に対するアンバランス力の大きさと位相角とを区別する。これら技術の一つに、次のような例がある。特定の回転速度における振動を除外するために、まず回転機の不均衡の特性を測定する。そして、回転機が生み出すアンバランス力を測定又は計算する。これらの力は、例えば支持構造体に結びつけられている回転部に固定された参照座標系において、エンジン速度の周波数領域の正弦波励振で特徴づけられる。これら励振は、一般に、エンジン振動センサ（例えば、加速度計）又は一連の専用の加速度計を用いて測定される。従って、この円盤の不均衡は、図３に示すように、回転機の回転速度ω０の固定された支持構造体の軸において大きさ（ゲイン）及び位相（φ）を単位として測定加速度Ｒ１によって表される。この図は、回転速度ω（ｒａｄ／ｓ）に対するゲイン（ｍ／ｓ２）の第１の曲線グラフ２０を示し、この速度に対する位相φ（ｒａｄ）の第２の曲線グラフ２２を示している。
【００１０】
次の測定方法は、「ベクトル影響係数法」と呼ばれる測定方法である。初期加速度Ｒ１（この初期加速度Ｒ１は、求められた不均衡による影響の結果を示している）を測定した後に、既知の重量の質量不均衡による測定加速度への影響を測定するために、該質量不均衡を回転系に付加する。例えば、単位質量の不均衡が位相角０°の円盤に加えられ、回転速度ω０における新たな加速度Ｒ２（ゲイン及び位相）が測定される。ベクトル解は次のように計算される。
−初期の質量不均衡ｂ１が加速度Ｒ１を生じさせ、
−初期の質量不均衡と単位質量あたりの質量不均衡の和（ｂ１＋ｂ２）が加速度Ｒ２を生じさせ、
−単位質量あたりの質量不均衡ｂ２が、加速度の差Ｒ２−Ｒ１を生じさせる。この問題に関して、図４を参照する。図４は、ベクトルＲ１，Ｒ２，Ｒ２−Ｒ１の直交座標系を示している。ベクトルＲ１，Ｒ２，Ｒ２−Ｒ１は、それぞれ位相φＲ１，φＲ２，φ（Ｒ２−Ｒ１）を有している。
【００１１】
ここで、この計算方法は、質量不均衡とそれに対応する測定加速度とは、線形関係にあることに注意する。
【００１２】
初期の質量不均衡と、結果として得られる補正質量とは、次のように計算される。
【００１３】
【数１】
2011529005.tif 000003
【００１４】
より良い結果を得ると共に測定誤差を最小化するために、質量の付加と、加速度測定とを行うステップを数回、例えば加速度Ｒ３，Ｒ４を伴うように実行する。
【００１５】
ここで、慣性不均衡と空気力学的不均衡とを別々に測定すべきことに留意する。上述の手段は、慣性による質量不均衡の原因と回転翼の空気力学的特性による質量不均衡の原因とを区別するために、仮に回転速度の修正及びトルク要求の独立した補正が、追加で行われる場合に、これを行う手段となり得る。
【００１６】
同様に、回転機が２つ以上の回転翼を備えている場合に、各回転翼に対して同じアプローチを交互に実行する。この場合に、質量不均衡診断ソフトウェアプログラムが、均衡ベクトル解を提供する。この均衡ベクトル解は、第１の回転翼に対する１つの解ベクトル及び第２の回転翼に対する１つの解ベクトルを含んでいる。各解ベクトルは、１つの絶対値と１つの位相角とを含んでいる。この演算は、慣性不均衡を特徴づけ、そして、空気力学的不均衡を特徴づけるために実行される。
【００１７】
ここから、図５を参照して、２枚の二重反転円盤の不均衡問題について説明する。二重反転する２枚の円盤のうち１枚の円盤に関しては、各円盤の慣性不均衡によって、対応する円盤の面内において半径方向力が生じる。図５は、これら半径方向力PROP1 ２４及びPROP2 ２６を示しており、これら半径方向力は上記２枚の円盤に共通する回転軸６において働く。２枚の円盤は異なる方向に回転し、図５においてそれぞれ符号２８，３０で示されている。上記アンバランス力２４，２６も符号２８，３０で示す反対方向に回転している。
【００１８】
さて、回転機のオイル溜め又はその支持体から視た上記２つのアンバランス力PROP1及びPROP2の和である合力PROP 1 + 2について考える。この合力の絶対値は、２枚の円盤の相対位置によって変化する。時間とともに、この絶対値は軸６を中心とする楕円３２を描き、楕円の短軸は力PROP1とPROP2との差の絶対値に等しく、長軸は力PROP1及びPROP2のそれぞれの絶対値の和に等しい。
【００１９】
ここで、２つの力PROP1及びPROP2のそれぞれの絶対値が等しい特別なケースについて考える。その結果として、上記楕円の短軸の長さはゼロであり、合力PROP1 + 2は２つの力の絶対値の和に等しく、純粋な振動慣性前進力になる。従って、上記楕円は線分になる。例えば、半径方向力PROP1（又はRdisc1）及びPROP2（又はRdisc2）が同相のときに位相φがゼロに等しい場合を考えると、合成半径方向力Ｒは次のように表わされる。
【００２０】
【数２】
2011529005.tif 000004
【００２１】
加えて、面の外側の合成モーメントＭは、次のように表される。
【００２２】
【数３】
2011529005.tif 000005
【００２３】
例えば、平板の外側に位置する合成モーメントが円盤１の中心において表される。加えて、上記「leverarm」は円盤１及び２の面間の軸方向距離である。
【００２４】
楕円の長軸方向は、アンバランス力PROP1及びPROP2の間の相対位相に依存する。例えば、２枚の円盤が、上記２つのアンバランス力が上下軸において同相であるように位置する場合、２枚の円盤の面における最大励振は、垂直に方向付けられる。対照的に、２枚の円盤が、上記２つのアンバランス力が上下軸において位相が１８０°ずれるように位置する場合、２枚の円盤の面における最大励振は、水平に方向付けられる。
【００２５】
上記２枚の二重反転円盤が空気力学的軸受表面を包含している場合、該円盤の面外側に位置する力は、各円盤の回転中心を通過するモーメントを発生させる。その結果、慣性不均衡のケースと同様に、半径方向力に対して表されたベクトル和の法則を、図６に示すように、空気力学的アンバランス力によって発生するモーメントに適用する。この図は、方向２８に沿って回転する円盤１に関しかつ、符号３８で表されるモーメント１、及び、方向４２に沿って回転する円盤２に関しかつ、符号４０で表されるモーメント２を示している。２つのモーメントのベクトル和モーメント１＋２は、楕円４４を表す。慣性不均衡又は空気力学的不均衡のいずれにおいても、２枚の円盤が同一速度で回転するとき、上記楕円の長軸は、例えばエンジン支持構造体に一致する固定軸に対して固定されたままになる。逆に、円盤の回転速度が同一でない場合、上記楕円は上記２枚の円盤の回転速度の差に等しい速度で回転する。
【００２６】
尚、２枚の円盤の面の外側に位置する回転力に加えて、局所的なモーメントが２枚の円盤の面間に発生する。これらモーメントの絶対値は、２枚の回転円盤間の距離に依存する。
【先行技術文献】
【特許文献】
【００２７】
【特許文献１】国際公開第２００６／０１７２０１号
【特許文献２】米国特許第４６８９８２１号明細書
【特許文献３】米国特許出願公開第２００５／００６５７１２号明細書
【特許文献４】国際公開第２００５／０４２９５９号
【特許文献５】米国特許第００／５２２１１８５号明細書
【特許文献６】米国特許第５４９０４３６号明細書
【発明の開示】
【発明が解決しようとする課題】
【００２８】
しかしながら、既知の振動減衰技術は相対的に非効率であり、特に二重反転する回転体を有するエンジンにおいて非効率である。
【００２９】
本発明の目的の１つは、支持構造体においてこのタイプのエンジンによって発生する振動を減衰させることである。
【課題を解決するための手段】
【００３０】
従って、本発明は、航空機の製造方法であって、上記航空機は、二重反転回転翼を有する少なくとも１つのエンジン（但し、上記エンジン又は複数のエンジンではそのうちの少なくとも１つのエンジンは、少なくとも１つの楕円に関する不均衡を有する）を備え、上記楕円の、又は複数の該楕円のうちの少なくとも１つの長軸の所定方向において、所定のエンジン速度で、上記ダンパの２つの端部の相対速度が、当該ダンパの他のいずれの配置における当該相対速度よりも大きくなるような配置で、少なくとも１つの振動ダンパを上記航空機に取り付けるステップを備えることを特徴とする航空機の製造方法を提供する。
【００３１】
結果として、上記ダンパの上記端部が当該ダンパが接続する上記航空機の部品の接触面を形成するので、上記ダンパの配置は振動の吸収が最大化されるように選択される。位相同期がこの方向に振動を導き、該振動が上記ダンパによって吸収される。結果として、振動が発生した場所で振動を減衰させ又は埋め合わせようとするよりも、むしろこの減衰の最も効率の良い方向において振動を減衰させている。この方向に振動を導くことによって、非常に高い減衰率が得られる。従って、航空機の支持構造体におけるエンジン振動の衝撃は、かなり減少する。上記アンバランス力が独立に現れる広い範囲にわたって実行する既知のバランシング技術、フィルタリング技術及び分散技術と違って、本発明は、アンバランス力の大きさ及び方向を制御して、有感振動をより低減するために振動吸収手段を最適化している。
【００３２】
上記ダンパ又は上記ダンパのうちの１つは、例えば、上記エンジンを支持するマストと上記エンジン自体との間、上記マストと上記機体との間、上記マストと他の箇所との間、上記マスト内の２つの箇所の間、上記エンジンを支持する２つの箇所の間等に配置されてもよい。
【００３３】
本発明は、航空機であって、二重反転回転翼を備える少なくとも１つのエンジン（但し、上記エンジン又は複数のエンジンではそのうちの少なくとも１つのエンジンは、少なくとも１つの楕円に関する不均衡を有する）、及び、上記楕円の、又は複数の該楕円のうちの少なくとも１つの長軸の所定方向において、所定のエンジン速度で、２つの端部の相対速度が、他のいずれの配置における当該相対速度よりも大きくなるような少なくとも１つの振動ダンパを備えることを特徴とする航空機も提供する。
【００３４】
上記ダンパの配置は、上記長軸の方向にかかわりなく、上記相対速度が上記ダンパの他のいずれの配置における相対速度よりも高いような配置であるのが好ましい。
【００３５】
これにより、振動の吸収がさらに効率良くなる。
【００３６】
上記ダンパの配置は、所定の速度において、上記２つの端部の相対速度が上記長軸の他のいずれの方向における該相対速度よりも高い上記長軸の１つの方向があるのが好ましい。
【００３７】
上記ダンパの配置によって、振動吸収がより効率良くなる。
【００３８】
上記航空機は、好ましくは上記エンジンに取り付けられ、上記エンジンの振動を測定できる少なくとも１つのセンサを備え、上記航空機は、例えば互いに直交する方向の上記エンジンの振動を測定できる少なくとも２つセンサを備えるのが好ましい。
【００３９】
上記航空機は、上記長軸を一定の方向、好ましくは、上記相対速度が上記長軸の他のいずれの方向における該相対速度よりも高いような方向に保持するために、上記エンジン又は複数のエンジンではそのうちの少なくとも１つを制御できる手段を備えるのが好ましい。
【００４０】
本発明は、上記エンジン又は複数のエンジンではそのうちの少なくとも１つのエンジンが一定の方向に長軸を保持するように制御する航空機の制御方法を提供する。
【００４１】
本発明の他の特徴及び利点は、限定されない例示として与えられた以下の詳細な説明を解釈し、添付の図面を参照することによって明らかになるであろう。
【図面の簡単な説明】
【００４２】
【図１】従来の回転円盤の正面図である。
【図２】従来の回転円盤の斜視図である。
【図３】図１の回転円盤に係る回転速度に対する関数であるアンバランス力のゲイン及び位相を示すグラフである。
【図４】図１の円盤におけるアンバランス力をベクトル形式で示す図である。
【図５】図１の円盤におけるアンバランス力をベクトル形式で示す図である。
【図６】図１の円盤におけるアンバランス力をベクトル形式で示す図である。
【図７】本発明の実施形態に係る航空機の正面図である。
【図８】図７の航空機におけるエンジンを制御するアーキテクチャを示す図である。
【発明を実施するための形態】
【００４３】
図７、８に示すように、本発明に係る航空機５０は、主要構造部５２、特に機体５４を備えている。本実施例において、この航空機は、機体５４の中央垂直面に対して対称に配置されたエンジン５６を、ここでは２つ、備えている。この実施例において、各エンジン５６は、符号５８ａ，５８ｂで示す２つの二重反転プロペラを備えたプロップファン型ターボプロップである。この２つのプロペラは、共通軸６０を基準として同軸上に配置されており、前方プロペラ５８ａが後方プロペラ５８ｂの前側に配置されている。２つのプロペラは、それぞれ回転翼６１を有している。これら回転翼は、互いに反対方向に回転する。各エンジン５６は、マスト（又はパイロン）６２によって機体５４に接続されている。
【００４４】
ここから、図７に示されたエンジン５６の配置と関連する配置について、図示されない他のエンジンも同様の配置であることを踏まえて説明する。
【００４５】
２つの振動ダンパ６４及び６６は、エンジン５６に付随している。この振動ダンパは、エンジンによって生じた振動が機体５４へと伝達するのを最小化するために取り付けられている。上記のように、これら振動は、各プロペラ５８ａ及び５８ｂに関連する不均衡によって発生する。各プロペラは、慣性不均衡、空気力学的不均衡又はそのいずれも有している。この振動ダンパは、振動を分散又は遮断する構成要素からなる。例えば、サスペンション装置が用いられる。
【００４６】
振動減衰率は、支持構造体上の各ダンパの配置に依存するであろう。この配置は振動ダンパの位置及びその方向からなり、従って、両パラメータは、（ダンパの所定位置において、ある方向がその他の方向よりもより有利なように、逆に、ダンパの所定方向において、ある位置がその他の位置よりも有利なように）各ダンパについて選択されなければならない。上記のように、エンジンによって伝達された振動は、これらの振動を発生させる不均衡に関連する楕円７０の特に長軸６８の方向によって特徴づけられる。従って、これらは、長軸６８の方向及びその長さに依存する。以下においては、エンジンの巡航速度が所定速度に固定された場合を仮定する。
【００４７】
各振動ダンパ６４，６６の配置は、この所定のエンジン速度において、長軸６８の方向にかかわりなく、該振動ダンパの縁部又は２つの端部の相対速度が該振動ダンパの他のいずれの配置における該相対速度よりも大きくなるように選択されている。ここで仮定している上記端部は、それぞれ関連するエンジン５６及び機体に近い方が好ましい。振動は、エンジンに近い振動ダンパの上流端から該振動ダンパに入り、完全に又は部分的に減衰しながら機体に近い振動ダンパの下流端に出る。この高い相対速度は、振動ダンパがエンジンから発生した振動の良質な吸収器であることを意味する。
【００４８】
本実施例において、所定のエンジン速度において、ダンパの両端部間の相対速度が他の長軸方向における該相対速度よりも高い長軸の１つの方向があるように各振動ダンパの配置を選択する。
【００４９】
この特定の方向は、図７に示されている。
【００５０】
言い換えると、各振動ダンパで生じる減衰は、次の２つの変数に依存する関数と考えられる。
−支持構造体上の振動ダンパの配置、及び、
−楕円の長軸６８の方向。
【００５１】
各振動ダンパの配置は、従って、振動の吸収が長軸６８の方向にかかわりなく無条件に最大値に達するように選択される。この選択は、例えばモデリングや数値解析の後に行われる。
【００５２】
本実施例及び図示されたように、振動ダンパは、機体５４に隣接したマスト６２の基端に配置されている。これらダンパは、マスト６２に付加される特定の部品に置き換わり、そして、本質的に振動自体を減衰する後者によって構成されていない。
【００５３】
それから、航空機の運転時に、エンジンは、上記の速度において、長軸６８が上記のより好ましい方向に置かれている固定位置において楕円７０が方向付けられるように制御される。
【００５４】
図８に示すように、各振動センサ７２は、関連するプロペラの励振面に可能な限り近くなるようにプロペラ５８ａ，５８ｂに設けられている。この振動センサ７２は、エンジンの固定部に取り付けられている。各センサは、エンジンのオイル溜めに対する関連するプロペラの半径方向の加速度を測定できる。
【００５５】
図示されない変形例において、２つのセンサ（即ちエンジンにおいて４つ全て）は、各プロペラに関連付けられており、互いに垂直であって互いに上記軸６０に垂直な２つの径方向加速度を測定するために配置されている。
【００５６】
各エンジンもマスト加速度計７４に関連付けられており、マスト６２上に配置されている。この場合、３つの加速度計があり、そのうちの２つがマストの先端近傍に配置され、もう１つがマストの基端近傍に配置されている。
【００５７】
航空機は、本ケースでは、ＥＥＣ（Electronic Engine Controller）タイプのユニットで構成された制御手段７６を備えている。ユニット７６は、各センサ７２からのデータを受信するために、配線７８によってセンサ７２に接続されている。ユニット７６は、配線８０によってプロペラの従来部品にも接続されており、プロペラの角度の位置及び１分間あたりの回転速度に関する情報を受信する。ユニット７６は、各配線８２，８４，８６及び８８を経由して巡航速度における大気、大気サンプリング要求、推進力要求及び航空機に関するデータも受信する。
【００５８】
航空機は、３つの各加速時計７４からマスト６２を伝達する振動を示す加速度データを受信するために、配線９２を経由して上記各加速時計７４に接続された位相同期ユニット９０も備えている。上記ユニット９０はまた、各プロペラ５８ａ，５８ｂに関する位置及び速度データを受け取るために、配線９４を経由して制御ユニット７６に接続されている。配線９６は、位相同期ユニットが前方及び後方プロペラの設定速度を制御手段に伝送するのを許容する。
【００５９】
上記ユニット７６は、各プロペラの位相を調整するために、燃料回路内で燃料流量を制御できる。従って、ユニット７６は、ユニット７６をエンジンに接続する配線７７を経由して、エンジン内の燃料流量並びに前方及び後方プロペラのピッチ角を制御するために受信したデータを取り入れる。
【００６０】
上記ユニット７６及び９０は、それぞれハードディスクやフラッシュメモリのような情報記憶媒体に記憶された少なくとも１つのプログラムを備えた電気的な制御手段からなるマイクロプロセッサを形成している。プログラムのうちの少なくとも１つは、コンピュータを構成するこれら手段において実行されたときに、本発明による方法の全て又は一部の実行を制御することができるコード化された命令を含む。
【００６１】
配線８２，８４，８６，８８，９４及び９６は、航空機搭載のデータ通信ネットワークの一部である。該データ通信ネットワークは、例えばＡＦＤＸ（Avionics Full Duplex Switch）型ネットワークである。
【００６２】
エンジン５６を制御するために、位相同期ユニット９０は、２つのプロペラのそれぞれについて記録された位置及び速度データを取得する。位相同期ユニット９０は、２つのプロペラの正確な相対位相及び到達すべき位相を決定する。以上のとおり、位相同期ユニット９０は、楕円７０の正確な角度位置及び到達すべき角度位置も計算する。位相同期ユニット９０は、長軸６８を上述した一定の方向に設置し又は保持するために、設定値を制御ユニット７６に伝送する。この方向は、アブソーバの両端の相対速度がその他のいかなる長軸の方向における該相対速度よりも高くなるような方向である。
【００６３】
従って、本発明は二重反転回転翼の不均衡振動を低減させる直接的なアプローチを提供することがわかる。振動吸収を最大化する振動ダンパの配置が最初に決定され、それから、振動がこの方向に導かれるように２つのプロペラの位相同期が制御される。言い換えると、楕円の長軸は、適切な方向に方向付けられる。本発明は、従って、振動を制御するための配置を示し、この配置は、最適な方向及び部位に配置された振動ダンパのポテンシャル、及び励振力の方向を設定するための位相同期の能力を組み合わせている。所定の方向に導かれた振動エネルギーは、この方向に最適化された動きをする振動ダンパを用いることによって消失する。これらの条件下では、最小限のエネルギーが航空機の支持構造体、特に機体５４に伝達される。エンジン内に現れるエネルギー量も減衰される。
【００６４】
空気力学的不均衡の楕円を考慮せず、エンジンの慣性不均衡の楕円を考慮して、本発明の実施形態の一例を説明してきた。同様の処置は、逆の状況、即ち空気力学的不均衡を考慮して、慣性不均衡を考慮しない状況にも用いられる。最後に、両タイプの不均衡は、振動ダンパの位置を決定するために考慮される。よって、エンジンは、２つの楕円が最適な方向に、すなわち２つの発生源からの振動が効率よく吸収されるような方向に方向付けられるように制御されなければならない。
【００６５】
言うまでもなく、発明の要旨を逸脱しない範囲で数々の変更がなされてもよい。本発明は、互いに独立した２つ以上の回転部を備えたエンジンに適用できる。ダンパ６４，６６の数は、１又は３以上であってもよい。
【図１】
2011529005.tif 000006
【図２】
2011529005.tif 000007
【図３】
2011529005.tif 000008
【図４】
2011529005.tif 000009
【図５】
2011529005.tif 000010
【図６】
2011529005.tif 000011
【図７】
2011529005.tif 000012
【図８】
2011529005.tif 000013
【国際調査報告】
2011529005.tif 000014
2011529005.tif 000015
2011529005.tif 000016
2011529005.tif 000017